【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】  物体側より順に、正の屈折力を有する第１レンズ群と、正の屈折力を有する第２レンズ群と、負の屈折力を有する第３レンズ群とで構成され、広角端から望遠端への変倍の際に、前記第１レンズ群と前記第１レンズ群との間隔が増大し、前記第２レンズ群と前記第３レンズ群との間隔が減少するように、各レンズ群が物体側に移動する３群ズーム光学系において、
前記第２レンズ群が、少なくとも１枚の負レンズと、少なくとも２枚の正レンズを有し、
前記第３レンズ群が、物体側より順に、少なくとも１面の非球面を有するレンズ（Ｌ３1）と、負レンズ（Ｌ３2）とで構成され、
次の条件式を満足することを特徴とする３群ズーム光学系。
０．５  ＜  ｜ｆ３｜／ｈ  ＜  ０．８
−０．２  ＜  ｆ３／ｆ３１  ＜  ０．２
但し、ｆ３は第３レンズ群の焦点距離、ｈは最大像高、ｆ３１は第３レンズ群における少なくとも１面の非球面を有するレンズＬ３1の焦点距離である。
【請求項２】  物体側より順に、正の屈折力を有する第１レンズ群と、正の屈折力を有する第２レンズ群と、負の屈折力を有する第３レンズ群とで構成され、広角端から望遠端への変倍の際に、前記第１レンズ群と前記第２レンズ群との間隔が増大し、前記第２レンズ群と前記第３レンズ群との間隔が減少するように、各レンズ群が物体側に移動する３群ズーム光学系において、
前記第３レンズ群が、物体側より順に、少なくとも１面の非球面を有するプラスティックレンズ（Ｌ３1）と、負レンズ（Ｌ３2）とで構成され、
次の条件式を満足することを特徴とする３群ズーム光学系。
０．５  ＜  ｜ｆ３｜／ｈ  ＜  ０．８
但し、ｆ３は第３レンズ群の焦点距離、ｈは最大像高である。
【請求項３】  物体側より順に、正の屈折力を有する第１レンズ群と、正の屈折力を有する第２レンズ群と、負の屈折力を有する第３レンズ群とで構成され、広角端から望遠端への変倍の際に、前記第１レンズ群と前記第２レンズ群との間隔が増大し、前記第２レンズ群と前記第３レンズ群との間隔が減少するように、各レンズ群が物体側に移動する３群ズーム光学系において、
前記第２レンズ群が、物体側より順に、負レンズ（Ｌ２1）と、正レンズ（Ｌ２2）と、正レンズ（Ｌ２3）とで構成され、
前記第３レンズ群が、物体側より順に、少なくとも１面の非球面を有するレンズ（Ｌ３1）と、負レンズ（Ｌ３2）とで構成され、
次の条件式を満足することを特徴とする３群ズーム光学系。
１．２  ＜  ｆｗ／ｈ  ＜  １．６
−０．２  ＜  ｆ３／ｆ３１  ＜  ０．２
但し、ｆｗは最広角端での焦点距離、ｈは最大像高、ｆ３は第３レンズ群の焦点距離、ｆ３１は第３レンズ群における少なくとも１面の非球面を有するレンズＬ３1の焦点距離である。
【請求項４】  物体側より順に、正の屈折力を有する第１レンズ群と、正の屈折力を有する第２レンズ群と、負の屈折力を有する第３レンズ群とで構成され、広角端から望遠端への変倍の際に、前記第１レンズ群と前記第２レンズ群との間隔が増大し、前記第２レンズ群と前記第３レンズ群との間隔が減少するように、各レンズ群が物体側に移動する３群ズーム光学系において、
前記第３レンズ群が、物体側より順に、少なくとも１面の非球面を有するレンズ（Ｌ３1）と、負レンズ（Ｌ３2）とで構成され、
次の条件式を満足することを特徴とする３群ズーム光学系。
０．５  ＜  ｜ｆ３｜／ｈ  ＜  ０．８
−０．２  ＜  ｆ３／ｆ３１  ＜  ０．２
０．３  ＜  ｆｗ  ／  ｆ１  ＜  ０．６
但し、ｆ３は第３レンズ群の焦点距離、ｈは最大像高、ｆ３１は第３レンズ群における少なくとも１面の非球面を有するレンズの焦点距離、ｆｗは最広角端での焦点距離、ｆ１は第１レンズ群の焦点距離である。
【請求項５】  物体側より順に、正の屈折力を有する第１レンズ群と、正の屈折力を有する第２レンズ群と、負の屈折力を有する第３レンズ群とで構成され、広角端から望遠端への変倍の際に、前記第１レンズ群と前記第２レンズ群との間隔が増大し、前記第２レンズ群と前記第３レンズ群との間隔が減少するように、各レンズ群が物体側に移動する３群ズーム光学系において、
前記第３レンズ群を、物体側より順に、少なくとも１面の非球面を有するレンズ（Ｌ３1）と、負レンズ（Ｌ３2）とで構成し、
次の条件式を満足することを特徴とする３群ズーム光学系。
０．５  ＜  ｜ｆ３｜／ｈ  ＜  ０．８
−０．２  ＜  ｆ３／ｆ３１  ＜  ０．２
０．３  ＜  ＤG2  ／  ｆ２  ＜  ０．６
但し、ｆ３は第３レンズ群の焦点距離、ｈは最大像高、ｆ３１は第３レンズ群における少なくとも１面の非球面を有するレンズの焦点距離、ＤG2は第２レンズ群の最も物体側の面から最も像側の面までの光軸上の距離、ｆ２は第２レンズ群の焦点距離である。
【請求項６】  次の条件式を満足することを特徴とする請求項１に記載の３群ズーム光学系。
１．２  ＜  ｆｗ／ｈ  ＜  １．６
但し、ｆｗは最広角端での焦点距離、ｈは最大像高である。
【請求項７】  前記第３レンズ群における少なくとも１面の非球面を有するレンズ（Ｌ３1）が、プラスティックレンズで構成されていることを特徴とする請求項１又は６に記載の３群ズーム光学系。
【請求項８】  前記第２レンズ群が、物体側より順に、負レンズ（Ｌ２1）と、正レンズ（Ｌ２2）と、正レンズ（Ｌ２3）とで構成されていることを特徴とする請求項１，６及び７のいずれかに記載の３群ズーム光学系。
【請求項９】  次の条件式を満足することを特徴とする請求項１及び６乃至８のいずれかに記載の３群ズーム光学系。
０．３  ＜  ｆｗ  ／  ｆ１  ＜  ０．６
但し、ｆｗは最広角端での焦点距離、ｆ１は第１レンズ群の焦点距離である。
【請求項１０】  前記第２レンズ群を構成するレンズのうち、物体側に凹面を向けた負レンズ（Ｌ２1）が、前記第２レンズ群の最も物体側に配置され、次の条件式を満足することを特徴とする請求項１及び６乃至９のいずれかに記載の３群ズーム光学系。
０．４  ＜  |ｒ211 |／  ｆ２  ＜  ０．８
但し、ｒ211 は負レンズ（Ｌ２1）の物体側面の曲率半径、ｆ２は第２レンズ群の焦点距離である。
【請求項１１】  次の条件式を満足することを特徴とする請求項１及び６乃至１０のいずれかに記載の３群ズーム光学系。
０．３  ＜  ＤG2  ／  ｆ２  ＜  ０．６
但し、ＤG2は第２レンズ群の最も物体側の面から最も像側の面までの光軸上の距離、ｆ２は第２レンズ群の焦点距離である。
【請求項１２】  前記第１レンズ群を構成するレンズのうち、物体側に凹面を向けた負のメニスカスレンズ（Ｌ１1）が、前記第１レンズ群の最も物体側に配置されていることを特徴とする請求項１及び６乃至１１のいずれかに記載の３群ズーム光学系。
【請求項１３】  次の条件式を満足することを特徴とする請求項２に記載の３群ズーム光学系。
１．２  ＜  ｆｗ／ｈ  ＜  １．６
但し、ｆｗは最広角端での焦点距離、ｈは最大像高である。
【請求項１４】  前記第２レンズ群が、物体側より順に、負レンズ（Ｌ２1）と、正レンズ（Ｌ２2）と、正レンズ（Ｌ２3）とで構成されていることを特徴とする請求項２又は１３に記載の３群ズーム光学系。
【請求項１５】  次の条件式を満足することを特徴とする請求項２，１３及び１４のいずれかに記載の３群ズーム光学系。
０．３  ＜  ｆｗ  ／  ｆ１  ＜  ０．６
但し、ｆｗは最広角端での焦点距離、ｆ１は第１レンズ群の焦点距離である。
【請求項１６】  前記第２レンズ群を構成するレンズのうち、物体側に凹面を向けた負レンズ（Ｌ２1）が、前記第２レンズ群の最も物体側に配置され、次の条件式を満足することを特徴とする請求項２及び１３乃至１５のいずれかに記載の３群ズーム光学系。
０．４  ＜  |ｒ211 |／  ｆ２  ＜  ０．８
但し、ｒ211 は負レンズ（Ｌ２1）の物体側面の曲率半径、ｆ２は第２レンズ群の焦点距離である。
【請求項１７】  次の条件式を満足することを特徴とする請求項２及び１３乃至１６のいずれかに記載の３群ズーム光学系。
０．３  ＜  ＤG2  ／  ｆ２  ＜  ０．６
但し、ＤG2は第２レンズ群の最も物体側の面から最も像側の面までの光軸上の距離、ｆ２は第２レンズ群の焦点距離である。
【請求項１８】  前記第１レンズ群を構成するレンズのうち、物体側に凹面を向けた負のメニスカスレンズ（Ｌ１1）が、前記第１レンズ群の最も物体側に配置されていることを特徴とする請求項２及び１３乃至１７のいずれかに記載の３群ズーム光学系。
【請求項１９】  前記第３レンズ群における少なくとも１面の非球面を有するレンズ（Ｌ３1）が、プラスティックレンズで構成されていることを特徴とする請求項３に記載の３群ズーム光学系。
【請求項２０】  次の条件式を満足することを特徴とする請求項３又は１９に記載の３群ズーム光学系。
０．５  ＜  ｜ｆ３｜／ｈ  ＜  ０．８
但し、ｆ３は第３レンズ群の焦点距離、ｈは最大像高である。
【請求項２１】  次の条件式を満足することを特徴とする請求項３，１９及び２０のいずれかに記載の３群ズーム光学系。
０．３  ＜ｆｗ  ／  ｆ１  ＜  ０．６
但し、ｆｗは最広角端での焦点距離、ｆ１は第１レンズ群の焦点距離である。
【請求項２２】  前記第２レンズ群を構成するレンズのうち、物体側に凹面を向けた負レンズ（Ｌ２1）が、前記第２レンズ群の最も物体側に配置され、次の条件式を満足することを特徴とする請求項３及び１９乃至２１のいずれかに記載の３群ズーム光学系。
０．４  ＜  |ｒ211 |／  ｆ２  ＜  ０．８
但し、ｒ211 は負レンズ（Ｌ２1）の物体側面の曲率半径、ｆ２は第２レンズ群の焦点距離である。
【請求項２３】  次の条件式を満足することを特徴とする請求項３及び１９乃至２２のいずれかに記載の３群ズーム光学系。
０．３  ＜  ＤG2  ／  ｆ２  ＜  ０．６
但し、ＤG2は第２レンズ群の最も物体側の面から最も像側の面までの光軸上の距離、ｆ２は第２レンズ群の焦点距離である。
【請求項２４】  前記第１レンズ群を構成するレンズのうち、物体側に凹面を向けた負のメニスカスレンズ（Ｌ１1）が、前記第１レンズ群の最も物体側に配置されていることを特徴とする請求項３及び１９乃至２３のいずれかに記載の３群ズーム光学系。
【請求項２５】  次の条件式を満足することを特徴とする請求項４に記載の３群ズーム光学系。
１．２  ＜  ｆｗ／ｈ  ＜  １．６
但し、ｆｗは最広角端での焦点距離、ｈは最大像高である。
【請求項２６】  前記第３レンズ群における少なくとも１面の非球面を有するレンズ（Ｌ３1）が、プラスティックレンズで構成されていることを特徴とする請求項４又は２５に記載の３群ズーム光学系。
【請求項２７】  前記第２レンズ群が、物体側より順に、負レンズ（Ｌ２1）と、正レンズ（Ｌ２2）と、正レンズ（Ｌ２3）とで構成されていることを特徴とする請求項４，２５及び２６のいずれかに記載の３群ズーム光学系。
【請求項２８】  前記第２レンズ群を構成するレンズのうち、物体側に凹面を向けた負レンズ（Ｌ２1）が、前記第２レンズ群の最も物体側に配置され、次の条件式を満足することを特徴とする請求項４及び２５乃至２７のいずれかに記載の３群ズーム光学系。
０．４  ＜  |ｒ211 |／  ｆ２  ＜  ０．８
但し、ｒ211 は負レンズ（Ｌ２1）の物体側面の曲率半径、ｆ２は第２レンズ群の焦点距離である。
【請求項２９】  次の条件式を満足することを特徴とする請求項４及び２５乃至２８のいずれかに記載の３群ズーム光学系。
０．３  ＜  ＤG2  ／  ｆ２  ＜  ０．６
但し、ＤG2は第２レンズ群の最も物体側の面から最も像側の面までの光軸上の距離、ｆ２は第２レンズ群の焦点距離である。
【請求項３０】  前記第１レンズ群を構成するレンズのうち、物体側に凹面を向けた負のメニスカスレンズ（Ｌ１1）が、前記第１レンズ群の最も物体側に配置されていることを特徴とする請求項４及び２５乃至２９のいずれかに記載の３群ズーム光学系。
【請求項３１】  次の条件式を満足することを特徴とする請求項５に記載の３群ズーム光学系。
１．２  ＜  ｆｗ／ｈ  ＜  １．６
但し、ｆｗは最広角端での焦点距離、ｈは最大像高である。
【請求項３２】  前記第３レンズ群における少なくとも１面の非球面を有するレンズ（Ｌ３1）が、プラスティックレンズで構成されていることを特徴とする請求項５又は３１に記載の３群ズーム光学系。
【請求項３３】  前記第２レンズ群が、物体側より順に、負レンズ（Ｌ２1）と、正レンズ（Ｌ２2）と、正レンズ（Ｌ２3）とで構成されていることを特徴とする請求項５，３１及び３２のいずれかに記載の３群ズーム光学系。
【請求項３４】  次の条件式を満足することを特徴とする請求項５及び３１乃至３３のいずれかに記載の３群ズーム光学系。
０．３  ＜  ｆｗ  ／  ｆ１  ＜  ０．６
但し、ｆｗは最広角端での焦点距離、ｆ１は第１レンズ群の焦点距離である。
【請求項３５】  前記第２レンズ群を構成するレンズのうち、物体側に凹面を向けた負レンズ（Ｌ２1）が、前記第２レンズ群の最も物体側に配置され、次の条件式を満足することを特徴とする請求項５及び３１乃至３４のいずれかに記載の３群ズーム光学系。
０．４  ＜  |ｒ211 |／  ｆ２  ＜  ０．８
但し、ｒ211は負レンズ（Ｌ２1）の物体側面の曲率半径、ｆ２は第２レンズ群の焦点距離である。
【請求項３６】  前記第１レンズ群を構成するレンズのうち、物体側に凹面を向けた負のメニスカスレンズ（Ｌ１1）が、前記第１レンズ群の最も物体側に配置されていることを特徴とする請求項５及び３１乃至３５のいずれかに記載の３群ズーム光学系。
【請求項３７】  請求項１乃至３６のいずれかに記載の３群ズーム光学系を有することを特徴とするカメラ。
【手続補正２】
【補正対象書類名】明細書
【補正対象項目名】００１０
【補正方法】変更
【補正の内容】
【００１０】
また、本第５の発明の３群ズーム光学系は、物体側より順に、正の屈折力を有する第１レンズ群と、正の屈折力を有する第２レンズ群と、負の屈折力を有する第３レンズ群とで構成され、広角端から望遠端への変倍の際に、前記第１レンズ群と前記第２レンズ群との間隔が増大し、前記第２レンズ群と前記第３レンズ群との間隔が減少するように、各レンズ群が物体側に移動する３群ズーム光学系において、前記第３レンズ群を、物体側より順に、少なくとも１面の非球面を有するレンズと、負レンズとで構成し、次の条件式(1)，(2)，(6)を満足することを特徴としている。
０．５  ＜  ｜ｆ３｜／ｈ  ＜  ０．８                      …(1)
−０．２  ＜  ｆ３／ｆ３１  ＜  ０．２                    …(2)
０．３  ＜  ＤG2  ／  ｆ２  ＜  ０．６                    …(6)
但し、ｆ３は第３レンズ群の焦点距離、ｈは最大像高、ｆ３１は第３レンズ群における少なくとも１面の非球面を有するレンズの焦点距離、ＤG2は第２レンズ群の最も物体側の面から最も像側の面までの光軸上の距離、ｆ２は第２レンズ群の焦点距離である。
また、本第６の発明の３群ズーム光学系は、本第１の発明において、次の条件式(3)を満足することを特徴とする。
１．２  ＜  ｆｗ／ｈ  ＜  １．６                           …(3)
但し、ｆｗは最広角端での焦点距離、ｈは最大像高である。
また、本第７の発明の３群ズーム光学系は、本第１又は第６の発明において、前記第３レンズ群における少なくとも１面の非球面を有するレンズ（Ｌ３1）が、プラスティックレンズで構成されていることを特徴とする。
また、本第８の発明の３群ズーム光学系は、本第１，第６及び第７の発明において、前記第２レンズ群が、物体側より順に、負レンズ（Ｌ２1）と、正レンズ（Ｌ２2）と、正レンズ（Ｌ２3）とで構成されていることを特徴とする。
また、本第９の発明の３群ズーム光学系は、本第１及び第６乃至第８の発明において、次の条件式(4)を満足することを特徴とする。
０．３  ＜  ｆｗ  ／  ｆ１  ＜  ０．６                    …(4)
但し、ｆｗは最広角端での焦点距離、ｆ１は第１レンズ群の焦点距離である。
また、本第１０の発明の３群ズーム光学系は、本第１及び第６乃至第９の発明において、前記第２レンズ群を構成するレンズのうち、物体側に凹面を向けた負レンズ（Ｌ２1）が、前記第２レンズ群の最も物体側に配置され、次の条件式(5)を満足することを特徴とする。
０．４  ＜  |ｒ211 |／  ｆ２  ＜  ０．８                   …(5)
但し、ｒ211 は負レンズ（Ｌ２1）の物体側面の曲率半径、ｆ２は第２レンズ群の焦点距離である。
また、本第１１の発明の３群ズーム光学系は、本第１及び第６乃至第１０の発明において、次の条件式(6)を満足することを特徴とする。
０．３  ＜  ＤG2  ／  ｆ２  ＜  ０．６                     …(6)
但し、ＤG2は第２レンズ群の最も物体側の面から最も像側の面までの光軸上の距離、ｆ２は第２レンズ群の焦点距離である。
また、本第１２の発明の３群ズーム光学系は、本第１及び第６乃至第１１の発明において、前記第１レンズ群を構成するレンズのうち、物体側に凹面を向けた負のメニスカスレンズ（Ｌ１1）が、前記第１レンズ群の最も物体側に配置されていることを特徴とする。
また、本第１３の発明の３群ズーム光学系は、本第２の発明において、次の条件式(3)を満足することを特徴とする。
１．２  ＜  ｆｗ／ｈ  ＜  １．６                          …(3)
但し、ｆｗは最広角端での焦点距離、ｈは最大像高である。
また、本第１４の発明の３群ズーム光学系は、本第２又は第１３の発明において、前記第２レンズ群が、物体側より順に、負レンズ（Ｌ２1）と、正レンズ（Ｌ２2）と、正レンズ（Ｌ２3）とで構成されていることを特徴とする。
また、本第１５の発明の３群ズーム光学系は、本第２，第１３及び第１４の発明において、次の条件式(4)を満足することを特徴とする。
０．３  ＜  ｆｗ  ／  ｆ１  ＜  ０．６                     …(4)
但し、ｆｗは最広角端での焦点距離、ｆ１は第１レンズ群の焦点距離である。
また、本第１６の発明の３群ズーム光学系は、本第２及び第１３乃至第１５の発明において、前記第２レンズ群を構成するレンズのうち、物体側に凹面を向けた負レンズ（Ｌ２1）が、前記第２レンズ群の最も物体側に配置され、次の条件式(5)を満足することを特徴とする。
０．４  ＜  |ｒ211 |／  ｆ２  ＜  ０．８                    …(5)
但し、ｒ211 は負レンズ（Ｌ２1）の物体側面の曲率半径、ｆ２は第２レンズ群の焦点距離である。
また、本第１７の発明の３群ズーム光学系は、本第２及び第１３乃至第１６の発明において、次の条件式(6)を満足することを特徴とする。
０．３  ＜  ＤG2  ／  ｆ２  ＜  ０．６                      …(6)
但し、ＤG2は第２レンズ群の最も物体側の面から最も像側の面までの光軸上の距離、ｆ２は第２レンズ群の焦点距離である。
また、本第１８の発明の３群ズーム光学系は、本第２及び第１３乃至第１７の発明において、前記第１レンズ群を構成するレンズのうち、物体側に凹面を向けた負のメニスカスレンズ（Ｌ１1）が、前記第１レンズ群の最も物体側に配置されていることを特徴とする。
また、本第１９の発明の３群ズーム光学系は、本第３の発明において、前記第３レンズ群における少なくとも１面の非球面を有するレンズ（Ｌ３1）が、プラスティックレンズで構成されていることを特徴とする。
また、本第２０の発明の３群ズーム光学系は、本第３又は第１９の発明において、次の条件式(1)を満足することを特徴とする。
０．５  ＜  ｜ｆ３｜／ｈ  ＜  ０．８                       …(1)
但し、ｆ３は第３レンズ群の焦点距離、ｈは最大像高である。
また、本第２１の発明の３群ズーム光学系は、本第３，第１９及び第２０の発明において、次の条件式(4)を満足することを特徴とする。
０．３  ＜ｆｗ  ／  ｆ１  ＜  ０．６                       …(4)
但し、ｆｗは最広角端での焦点距離、ｆ１は第１レンズ群の焦点距離である。
また、本第２２の発明の３群ズーム光学系は、本第３及び第１９乃至第２１の発明において、前記第２レンズ群を構成するレンズのうち、物体側に凹面を向けた負レンズ（Ｌ２1）が、前記第２レンズ群の最も物体側に配置され、次の条件式(5)を満足することを特徴とする。
０．４  ＜  |ｒ211 |／  ｆ２  ＜  ０．８                    …(5)
但し、ｒ211 は負レンズ（Ｌ２1）の物体側面の曲率半径、ｆ２は第２レンズ群の焦点距離である。
また、本第２３の発明の３群ズーム光学系は、本第３及び第１９乃至第２２の発明において、次の条件式(6)を満足することを特徴とする。
０．３  ＜  ＤG2  ／  ｆ２  ＜  ０．６                      …(6)
但し、ＤG2は第２レンズ群の最も物体側の面から最も像側の面までの光軸上の距離、ｆ２は第２レンズ群の焦点距離である。
また、本第２４の発明の３群ズーム光学系は、本第３及び第１９乃至第２３の発明において、前記第１レンズ群を構成するレンズのうち、物体側に凹面を向けた負のメニスカスレンズ（Ｌ１1）が、前記第１レンズ群の最も物体側に配置されていることを特徴とする。
また、本第２５の発明の３群ズーム光学系は、本第４の発明において、次の条件式(3)を満足することを特徴とする。
１．２  ＜  ｆｗ／ｈ  ＜  １．６                           …(3)
但し、ｆｗは最広角端での焦点距離、ｈは最大像高である。
また、本第２６の発明の３群ズーム光学系は、本第４又は第２５の発明において、前記第３レンズ群における少なくとも１面の非球面を有するレンズ（Ｌ３1）が、プラスティックレンズで構成されていることを特徴とする。
また、本第２７の発明の３群ズーム光学系は、本第４，第２５及び第２６の発明において、前記第２レンズ群が、物体側より順に、負レンズ（Ｌ２1）と、正レンズ（Ｌ２2）と、正レンズ（Ｌ２3）とで構成されていることを特徴とする。
また、本第２８の発明の３群ズーム光学系は、本第４及び第２５乃至第２７の発明において、前記第２レンズ群を構成するレンズのうち、物体側に凹面を向けた負レンズ（Ｌ２1）が、前記第２レンズ群の最も物体側に配置され、次の条件式(5)を満足することを特徴とする。
０．４  ＜  |ｒ211 |／  ｆ２  ＜  ０．８                    …(5)
但し、ｒ211 は負レンズ（Ｌ２1）の物体側面の曲率半径、ｆ２は第２レンズ群の焦点距離である。
また、本第２９の発明の３群ズーム光学系は、本第４及び第２５乃至第２８の発明において、次の条件式(6)を満足することを特徴とする。
０．３  ＜  ＤG2  ／  ｆ２  ＜  ０．６                      …(6)
但し、ＤG2は第２レンズ群の最も物体側の面から最も像側の面までの光軸上の距離、ｆ２は第２レンズ群の焦点距離である。
また、本第３０の発明の３群ズーム光学系は、本第４及び第２５乃至第２９の発明において、前記第１レンズ群を構成するレンズのうち、物体側に凹面を向けた負のメニスカスレンズ（Ｌ１1）が、前記第１レンズ群の最も物体側に配置されていることを特徴とする。
また、本第３１の発明の３群ズーム光学系は、本第５の発明において、次の条件式(3)を満足することを特徴とする。
１．２  ＜  ｆｗ／ｈ  ＜  １．６                           …(3)
但し、ｆｗは最広角端での焦点距離、ｈは最大像高である。
また、本第３２の発明の３群ズーム光学系は、本第５又は第３１の発明において、前記第３レンズ群における少なくとも１面の非球面を有するレンズ（Ｌ３1）が、プラスティックレンズで構成されていることを特徴とする。
また、本第３３の発明の３群ズーム光学系は、本第５，第３１及び第３２の発明において、前記第２レンズ群が、物体側より順に、負レンズ（Ｌ２1）と、正レンズ（Ｌ２2）と、正レンズ（Ｌ２3）とで構成されていることを特徴とする。
また、本第３４の発明の３群ズーム光学系は、本第５及び第３１乃至第３３の発明において、次の条件式(4)を満足することを特徴とする。
０．３  ＜  ｆｗ  ／  ｆ１  ＜  ０．６                     …(4)
但し、ｆｗは最広角端での焦点距離、ｆ１は第１レンズ群の焦点距離である。
また、本第３５の発明の３群ズーム光学系は、本第５及び第３１乃至第３４の発明において、前記第２レンズ群を構成するレンズのうち、物体側に凹面を向けた負レンズ（Ｌ２1）が、前記第２レンズ群の最も物体側に配置され、次の条件式(5)を満足することを特徴とする。
０．４  ＜  |ｒ211 |／  ｆ２  ＜  ０．８                   …(5)
但し、ｒ211は負レンズ（Ｌ２1）の物体側面の曲率半径、ｆ２は第２レンズ群の焦点距離である。
また、本第３６の発明の３群ズーム光学系は、本第５及び第３１乃至第３５の発明において、前記第１レンズ群を構成するレンズのうち、物体側に凹面を向けた負のメニスカスレンズ（Ｌ１1）が、前記第１レンズ群の最も物体側に配置されていることを特徴とする。
更に、本第３７の発明のカメラは、本第１乃至第３６の発明において、３群ズーム光学系を有することを特徴とする。